(57)【要約】【課題】ＩＰＴＶを利用した外部データインターフェースシステム及びその方法を提供する。【解決手段】このシステム及び方法は携帯電話、その他データ通信装置、及びＩＰＴＶの固有番号を外部データ伝送サーバーに連動して登録し、ＳＭＳサーバー及び移動通信社サーバー、メールサーバー、及び外部データ伝送サーバーを互いに連動させ、ユーザーの設定によって文字、動画データ、及び画像データを所要の携帯電話やＩＰＴＶに伝送して出力する。本発明は携帯電話、電子メールサーバー、及び移動通信社サーバーなどの各種データ通信装置から受信した外部データをユーザーの設定によってＩＰＴＶにインターフェースし、これを画面出力でき、その出力時点を予めユーザーが設定して集中度が高い時点に外部データを出力できる。また、発信者情報を着信者が予め登録し、登録した発信者の場合はその認証を省略することによって、迅速なデータ伝送を行うことができる。また、外部データの種類及び容量によって出力される放送画面を自動で調節することによって、元の放送画面を妨害せずに外部データを出力する。
2011507126.tif 000002
【特許請求の範囲】
【請求項１】
放送アクセスネットワークを介して放送データを各家庭に備えられたＳＴＢ（Ｓｅｔ−Ｔｏｂ  Ｂｏｘ）に伝送する放送データ伝送サーバーと；
遠隔サーバーにＳＴＢ固有番号及び着信者携帯電話番号を登録し、前記放送データ伝送サーバーから伝送される放送データの画面出力の間にその遠隔サーバーから伝送された外部データを格納し、画面を自動スイッチングさせ、その外部データを画面出力させるＳＴＢと；
前記ＳＴＢから着信者携帯電話の電話番号情報及びＳＴＢ固有番号情報を予め受信し、これをそれぞれ連動して登録し、ＳＭＳサーバーを含んだ移動通信社サーバーと発信者ＰＣに当該情報を登録させて当該着信者携帯電話やＳＴＢの固有番号を通じて文字データ、動画及び画像データなどの外部データを受信して当該ＳＴＢに伝送処理する外部データ伝送サーバーと；を含むことを特徴とするＩＰＴＶを利用した外部データインターフェースシステム。
【請求項２】
前記外部データ伝送サーバーは前記ＳＴＢから認証を省略する発信者の電話番号情報を受け付けて登録し、外部データ受信時発信者の電話番号情報と認証を省略する発信者の電話番号情報とを比較して選択的に認証処理を行うように設定したことを特徴とする請求項１に記載のＩＰＴＶを利用した外部データインターフェースシステム。
【請求項３】
前記外部データ伝送サーバーは特定発信者の電話番号情報を受け付け、当該発信者電話番号から受信したデータが前記ＳＴＢに伝送されることを遮断するように設定可能に構成されることを特徴とする請求項１に記載のＩＰＴＶを利用した外部データインターフェースシステム。
【請求項４】
前記外部データ伝送サーバーはメールサーバー、移動通信社サーバー、及びＳＭＳサーバーを含んだ外部サーバーから伝送された外部データを携帯電話、特定電子メールＵＲＬ、及びＩＰＴＶのうち、少なくとも一つ以上の装置に伝送するように予め設定し、その設定した経路によって外部データを自動伝送することを特徴とする請求項１に記載のＩＰＴＶを利用した外部データインターフェースシステム。
【請求項５】
前記ＳＴＢは前記外部データ伝送サーバーから伝送された外部データを出力する時、放送データの出力中であるか否かを判断し、前記ＩＰＴＶを通じて放送データが出力されている場合、その放送データをＰＶＲに自動録画し、受信した外部データをまず画面にスイッチングして出力させることを特徴とする請求項１に記載のＩＰＴＶを利用した外部データインターフェースシステム。
【請求項６】
前記ＳＴＢは、その内部に放送アクセスネットワークまたはインターネット網に接続して前記放送データ伝送サーバー及び外部データ伝送サーバーとのデータ送受信を行い、プロトコルマッチング及びフィルタリングを行う通信モジュールと；
視聴者の携帯電話受信データ対するＩＰＴＶへのインターフェース要請信号を発生し、着信側の携帯電話番号情報及び発信側の認証省略用電話番号情報、認証情報入力信号に対するリモコン信号を受信するためのリモコン情報受信部と；
前記放送データ伝送サーバーからデジタル放送データを受信し、前記ＩＰＴＶの出力を制御する放送出力コントローラと；
外部データ伝送サーバーから伝送された動画、画像、及び文字データからなった外部データを前記ＩＰＴＶに画面出力させるためにデータ出力制御を行う外部データの出力コントローラと；
ＰＶＲを録画モードに転換させ、出力進行中の放送データを外部データが出力される時間に録画するように前記ＰＶＲを制御するための放送データ録画コントローラと；
前記放送データ録画コントローラに連動して前記ＩＰＴＶを通じて出力される放送データを外部データとして画面スイッチングする制御を行う画面スイッチと；
前記外部データ伝送サーバーから伝送された外部データ、視聴者が既登録した認証暗号情報、ＳＴＢ固有番号、及び画面スイッチングに対する制御ルーチンを格納するためのデータ格納部と；
前記リモコン情報受信部を通じて受信したインターフェース要請信号、着信側の携帯電話番号情報及び発信側の認証省略用電話番号情報、及び認証情報入力信号を受信して認証情報を格納処理し、インターフェース要請信号、着信側の携帯電話番号情報や発信側の認証省略用電話番号情報、及びＳＴＢ固有番号をサーバーに伝送処理し、外部データの受信確認時に認証処理を行い、放送データを録画モードにスイッチングし、外部データをＩＰＴＶに画面出力するように制御するコントローラを含むことを特徴とする請求項１に記載のＩＰＴＶを利用した外部データインターフェースシステム。
【請求項７】
前記データ格納部に格納された画面スイッチング制御ルーチンは、外部データが出力される時点に、自動で放送データをＰＶＲに録画しながら、外部データを画面出力するために予めプログラムすることを特徴とする請求項６に記載のＩＰＴＶを利用した外部データインターフェースシステム。
【請求項８】
前記外部データ伝送サーバーは各家庭に備えられた前記ＳＴＢと発信者ＰＣ、移動通信社サーバーとのデータ送受信を行う通信モジュールと；
前記ＳＴＢから伝送された固有番号及び発信者認証情報を受信して登録し、前記発信者ＰＣまたは移動通信社サーバーを通じて伝送された短文メッセージ、画像データ、及び動画データを伝送する発信者を認証して着信者が予めデータ伝送を許した発信者であるか否かを認証するための認証処理部と；
前記ＳＴＢに付加されたＰＶＲを通じて画面に予め出力された放送データを録画するようにＰＶＲを録画モードに転換し、そのＰＶＲを駆動させて、画面を外部データに転換出力する画面制御データを生成するための画面制御情報生成部と；
前記ＳＴＢにそれぞれ割り当てられた固有番号を管理するためのＳＴＢ情報管理部と；
前記ＳＴＢにそれぞれ割り当てられた固有番号を格納するＳＴＢ情報ＤＢと；
各ＳＴＢの固有番号別に連動して構築された外部データを受信する着信者の認証情報を格納するための認証情報ＤＢと；
外部データを特定ＳＴＢに伝送可能にするために予め着信者が許容可能な発信者の固有番号を登録格納した発信者登録情報ＤＢと；
前記ＳＴＢに付加されたＰＶＲを通じて画面に予め出力された放送データを録画するようにＰＶＲを録画モードに転換し、そのＰＶＲを駆動させて、画面を外部データに転換出力するための画面制御データを格納した画面制御情報ＤＢと；
各ＳＴＢのユーザーである着信者から発信者の認証情報を予め受け付けて登録し、前記移動通信社サーバー及び発信者ＰＣに接続されてインターネット網を通じて受信した外部データの発信者を認証し、認証完了時当該外部データを当該ＳＴＢに伝送処理し、ＩＰＴＶにその外部データが出力されるように制御するコントローラと；を含むことを特徴とする請求項１に記載のＩＰＴＶを利用した外部データインターフェースシステム。
【請求項９】
（ａ）外部データ伝送サーバーに各ＳＴＢの固有番号を登録し、着信者の携帯電話番号を登録させる段階と；
（ｂ）前記外部データ伝送サーバーが、移動通信社サーバーと当該着信者情報を共有しながら、当該着信者の携帯電話に伝送された外部データ伝送を承認登録する段階と；
（ｃ）前記外部データ伝送サーバーが、発信者ＰＣまたは多数のメールサーバー及び移動通信社サーバー、ＳＭＳサーバーを含んだ外部データ伝送手段から特定着信者の携帯電話や特定メールＵＲＬに伝送される外部データを受信するか否かを判断する段階と；
（ｄ）前記外部データ伝送サーバーが、その着信者情報に連動された前記ＳＴＢ情報を抽出する段階；
（ｅ）前記外部データ伝送サーバーが、前記ＳＴＢに当該着信者情報を伝送して画面出力させる段階と；
（ｆ）前記外部データ伝送サーバーが、当該認証確認信号を当該ＳＴＢから受信し、正常な認証信号であるかを当該ＳＴＢのデータ比較を通じて確認する段階と；
（ｇ）外部データの伝送を許す正常認証であると確認した状態では、外部データを当該ＳＴＢに伝送する段階を含むことを特徴とするＩＰＴＶを利用した外部データインターフェース方法。
【請求項１０】
前記（ｆ）段階によって、前記外部データ伝送サーバーが当該ＳＴＢから伝送不可信号を受信した場合、その外部データ伝送不可情報を当該発信者ＰＣや移動通信社サーバー、ＳＭＳサーバーに伝送する段階をさらに含むことを特徴とする請求項９に記載のＩＰＴＶを利用した外部データインターフェース方法。
【請求項１１】
外部データをＳＴＢで受信することにおいて、発信者認証を省略する情報登録の細部段階は、
（ａ）外部データ伝送サーバーが、ＩＰＴＶまたは着信者ＰＣから認証省略発信者情報の登録要請信号を受信する段階と；
（ｂ）前記外部データ伝送サーバーが、前記ＩＰＴＶまたは着信者ＰＣから認証を省略する発信者情報を受信する段階と；
（ｃ）前記外部データ伝送サーバーが、認証を省略する発信者情報の入力が終了した否かを判断する段階と；
（ｄ）入力が終了した状態で当該情報を臨時メモリに登録させる段階と；
（ｅ）前記外部データ伝送サーバーが、認証を省略する発信者情報と、当該発信者情報を登録させたＳＴＢの固有番号を共に連動してデータベースに登録させる段階と；を含むことを特徴とするＩＰＴＶを利用した外部データインターフェース方法。
【請求項１２】
外部データの受信経路を設定する細部段階は、
（ａ）外部データ伝送サーバーが、ＩＰＴＶまたは着信者ＰＣから発信者情報を受信する段階と；
（ｂ）当該発信者から外部データをインターフェースする電子機器に特定ＳＴＢ、携帯電話、または電子メールＵＲＬを設定する段階と；
（ｃ）前記外部データ伝送サーバーが外部データを受信する段階と；
（ｄ）前記外部データ伝送サーバーが、予め設定された当該発信者の受信経路によって、当該受信装置に外部データを伝送して処理する段階と；を含むことを特徴とするＩＰＴＶを利用した外部データインターフェース方法。
【請求項１３】
（ａ）外部データ伝送サーバーが、ＳＭＳサーバー、移動通信社サーバー、またはメールサーバーから外部データを受信し、その外部データを前記ＳＴＢに伝送する段階と；
（ｂ）前記ＳＴＢが当該外部データを受信すると共に、そのＳＴＢに連動されたＰＶＲを制御して放送データ録画モードに転換する段階と；
（ｃ）前記ＰＶＲが、放送データ録画モードに転換されて現在の画面を通じて出力される放送データの録画を開始すると共に、前記ＳＴＢは画面をスイッチングして受信した外部データを画面出力させる段階と；
（ｄ）前記ＳＴＢが外部データの出力が終了したか否かを判断する段階と；
（ｅ）外部データの出力が終了した状態で、画面を放送データに自動転換させ、前記ＰＶＲに既録画された放送データを画面出力させる段階と；を含むことを特徴とするＩＰＴＶを利用した外部データインターフェース方法。
【請求項１４】
放送アクセスネットワークを介して放送データを各家庭に備えられたＳＴＢに伝送する放送データ伝送サーバーと；
前記放送データ伝送サーバーから伝送される放送データの画面出力の間に遠隔サーバーにＳＴＢ固有番号及び着信者携帯電話番号を登録し、その遠隔サーバーから伝送された外部データを格納し、予め設定された画面出力時点が渡来したか否かを判断してその外部データを画面出力させるＳＴＢと；
前記ＳＴＢから着信者携帯電話の電話番号情報及びＳＴＢ固有番号情報を予め受信し、これをそれぞれ連動して登録し、ＳＭＳサーバーを含む移動通信社サーバーと発信者ＰＣに当該情報を登録させて当該着信者携帯電話やＳＴＢの固有番号を通じて文字データ、動画及び画像データなどの外部データを受信して当該ＳＴＢに伝送処理する外部データ伝送サーバーと；を含むことを特徴とするＩＰＴＶを利用した外部データインターフェースシステム。
【請求項１５】
前記ＳＴＢは、その内部に放送アクセスネットワークまたはインターネット網に接続して放送データ伝送サーバー及び外部データ伝送サーバーとのデータ送受信を行い、リモコンから受信した外部データの出力時点情報を受信してプロトコルマッチング及びフィルタリングを行う通信モジュールと；
視聴者の携帯電話受信データ対するＩＰＴＶへのインターフェース要請信号を発生し、着信側の携帯電話番号情報及び発信側の認証省略用電話番号情報、認証情報入力信号、及び外部データの出力時点情報に対するリモコン信号を受信するためのリモコン情報受信部と；
前記放送データ伝送サーバーからデジタル放送データを受信して前記ＤＴＶを通じて出力制御する放送出力コントローラと；
外部データ伝送サーバーから伝送された動画、画像、及び文字データからなった外部データを前記ＩＰＴＶに画面出力させるためにデータ出力制御を行う外部データの出力コントローラと；
ＰＶＲを録画モードに転換させ、出力進行中の放送データを外部データが出力される時間に録画するように前記ＰＶＲを制御するための放送データ録画コントローラと；
ＳＭＳサーバー、移動通信社サーバー、及びメールサーバーから受信した電子メールデータ、短文データ、画像及び動画データを含んだ外部データを格納するための外部データ格納部と；
前記放送データ録画コントローラに連動して前記ＩＰＴＶを通じて出力される放送データを外部データとして画面スイッチングする制御を行う画面スイッチと；
前記外部データ伝送サーバーから伝送された外部データ、視聴者が既登録した認証暗号情報、ＳＴＢ固有番号、及び画面スイッチングに対する制御ルーチン及び視聴者が予め設定した外部データの出力時点情報を格納するためのデータ格納部と；
前記リモコン情報受信部を通じて受信したインターフェース要請信号、着信側の携帯電話番号情報及び発信側の認証省略用電話番号情報、及び認証情報入力信号を受信して認証情報を格納処理し、インターフェース要請信号、着信側の携帯電話番号情報や発信側の認証省略用電話番号情報、及びＳＴＢ固有番号をサーバーに伝送処理し、外部データの受信確認時認証処理を行って外部データを外部データ格納部に受信して格納し、既設定された出力時点情報によって放送データを録画モードにスイッチングし、外部データ格納部に格納された外部データをＩＰＴＶに画面出力するように制御するコントローラと；を含むことを特徴とする請求項１４に記載のＩＰＴＶを利用した外部データインターフェース方法。
【請求項１６】
（ａ）ＳＴＢが受信した外部データの出力時点情報を設定する段階と；
（ｂ）前記ＳＴＢが、外部サーバーから電子メールデータまたは短文メッセージ、映像／動画データを含んだ外部データを受信する段階と；
（ｃ）前記ＳＴＢのコントローラが、予め設定された外部データの出力時点情報を通じて外部データがリアルタイム出力に設定されたか否かを判断する段階と；
（ｄ）外部データがリアルタイム出力に設定された場合、前記ＳＴＢのコントローラが当該外部データを画面出力させる段階と；
（ｅ）外部データをリアルタイムで出力するように設定せずに、特定設定時点に外部データを出力するように設定した場合、前記ＳＴＢのコントローラが受信された外部データを内部に備えられた外部データ格納部に格納する段階と；
（ｆ）設定時点が到来したか否かを判断する段階と；
（ｇ）設定時点が到来した場合、外部データ格納部に格納された外部データを抽出して画面出力させる段階と；を含むことを特徴とするＩＰＴＶを利用した外部データインターフェース方法。
【請求項１７】
放送アクセスネットワークを介して放送データを各家庭に備えられたＳＴＢに伝送する放送データ伝送サーバーと；
前記放送データ伝送サーバーから伝送される放送データの画面出力の間に遠隔サーバーにＳＴＢ固有番号及び着信者携帯電話番号を登録し、その遠隔サーバーから伝送された外部データを格納し、外部データの種類及び容量を判断し、放送データの出力サイズを調節して外部データが十分にその放送データの余白に出力されるようにするＳＴＢと；
前記ＳＴＢから着信者携帯電話の電話番号情報及びＳＴＢ固有番号情報を予め受信し、これをそれぞれ連動して登録し、ＳＭＳサーバーを含んだ移動通信社サーバーと発信者ＰＣに当該情報を登録させて当該着信者携帯電話やＳＴＢの固有番号を通じて文字データ、動画及び画像データなどの外部データを受信して当該ＳＴＢに伝送処理する外部データ伝送サーバーと；を含むことを特徴とするＩＰＴＶを利用した外部データインターフェースシステム。
【請求項１８】
前記ＳＴＢは、その内部に放送アクセスネットワークまたはインターネット網に接続して放送データ伝送サーバー及び外部データ伝送サーバーとのデータ送受信を行い、リモコンから受信した外部データの出力時点情報を受信してプロトコルマッチング及びフィルタリングを行う通信モジュールと；
視聴者の携帯電話受信データ対するＩＰＴＶへのインターフェース要請信号を発生し、着信側の携帯電話番号情報及び発信側の認証省略用電話番号情報、認証情報入力信号、及び外部データの出力時点情報に対するリモコン信号を受信するためのリモコン情報受信部と；
前記放送データ伝送サーバーからデジタル放送データを受信して前記ＤＴＶを通じて出力制御する放送出力コントローラと；
外部データ伝送サーバーから伝送された動画、画像、及び文字データからなった外部データを前記ＩＰＴＶに画面出力させるためにデータ出力制御を行う外部データの出力コントローラと；
ＰＶＲを録画モードに転換させ、出力進行中の放送データを外部データが出力される時間に録画するように前記ＰＶＲを制御するための放送データ録画コントローラと；
ＳＭＳサーバー、移動通信社サーバー、及びメールサーバーから受信した電子メールデータ、短文データ、画像及び動画データを含んだ外部データを格納するための外部データ格納部と；
前記放送データ録画コントローラに連動して前記ＩＰＴＶを通じて出力される放送データを外部データとして画面スイッチングする制御を行う画面スイッチと；
前記放送出力コントローラを通じて画面出力される放送データのサイズを外部データの種類及び容量によって調節する画面サイズコントローラと；
前記外部データ伝送サーバーから伝送された外部データ、視聴者が既登録した認証暗号情報、ＳＴＢ固有番号、画面スイッチングに対する制御ルーチン及び視聴者が予め設定した外部データの出力時点情報、外部データの種類及び容量によって放送データのサイズ調節情報が格納されたデータ格納部と；
前記リモコン情報受信部を通じて受信したインターフェース要請信号、着信側の携帯電話番号情報及び発信側の認証省略用電話番号情報、及び認証情報入力信号を受信して認証情報を格納処理し、インターフェース要請信号、着信側の携帯電話番号情報や発信側の認証省略用電話番号情報、及びＳＴＢ固有番号をサーバーに伝送処理し、外部データの受信確認時認証処理を行って、外部データを外部データ格納部に受信して格納し、既設定された出力時点情報によって放送データを録画モードにスイッチングし、外部データ格納部に格納された外部データをＩＰＴＶに画面出力するように制御し、外部データの種類及び容量によって放送データのサイズを調節し、そのサイズ調節によって生成された放送データの余白に外部データを出力するように制御するコントローラと；を含むことを特徴とする請求項１７に記載のＩＰＴＶを利用した外部データインターフェースシステム。
【請求項１９】
（ａ）ＳＴＢが当該外部データの種類を判断する段階と；
（ｂ）外部データの種類によって前記ＳＴＢが、放送画面データを縮小するか、当該放送画面データを録画するかを判断する段階と；
（ｃ）放送データを外部データの容量に合わせて縮小する段階と；
（ｄ）前記ＳＴＢが外部データを放送画面データの余白に出力させる段階と；
（ｅ）受信した外部データが動画や画像データであると判断すると、前記ＳＴＢが予め出力された放送データをＰＶＲ録画モードに転換して録画させる段階と；
（ｆ）全体画面に外部データを出力させる段階と；
（ｇ）前記ＳＴＢが当該外部データの出力が完了したか否か判断する段階と；
（ｈ）外部データの出力が完了した状態で、画面を元のサイズに復元させる段階をさらに含むことを特徴とするＩＰＴＶを利用した外部データインターフェース方法。
【請求項２０】
（ａ）ＳＴＢが記念日情報と外部データを受信して格納する段階と；
（ｂ）前記ＳＴＢが時間を計数して内部に予め格納された記念日情報との比較を通じて記念日が到来したか否かを判断する段階と；
（ｃ）記念日が到来した場合、前記ＳＴＢは記念日情報と予め格納された外部データの祝賀メッセージ情報を抽出してＩＰＴＶを通じて出力させる段階と；を含むことを特徴とするＩＰＴＶを利用した外部データインターフェース方法。
【請求項２１】
放送データ伝送サーバーから放送データを受信し、その放送データのうち商品コードを自動抽出して、地域コードと共に外部データ伝送サーバーに伝送し、その外部データ伝送サーバーからローカル広告データを受信して画面出力させるＳＴＢと；
各放送シーンに含まれた商品によってコードをマッチングさせ、その放送データ内部に商品コードをインサートさせ、その放送データを前記ＳＴＢに伝送する放送データ伝送サーバーと；
広告主の広告データを受信して登録し、商品群／商品カテゴリー／商品種類別にコードを与え、そのコードを放送データに含ませるために放送データ伝送サーバーに提供し、ＳＴＢから当該商品コード情報が受信されると、当該ＳＴＢの地域及び商品コードとマッチングするローカル広告データを伝送処理する外部データ伝送サーバーと；を含むことを特徴とするＩＰＴＶを利用した外部データインターフェースシステム。
【請求項２２】
前記外部データ伝送サーバーは各家庭に備えられた前記ＳＴＢと広告主端末、放送データ伝送サーバーとのデータ送受信を行う通信モジュールと；
前記ＳＴＢから伝送された固有番号及びローカル広告受信要請情報を受信して登録し、前記広告主端末から伝送されたローカル広告データを受信しようとする当該ユーザーまたはＳＴＢを認証するための認証処理部と；
前記ＳＴＢから伝送された商品コードによって予め分類したローカル広告を抽出するようにルーチンを行うローカル広告抽出部と；
前記ＳＴＢにそれぞれ割り当てられた固有番号を管理し、各地域別に前記ＳＴＢ固有番号を分類するためのＳＴＢ情報管理部と；
放送データにインサートする商品情報別商品コードを生成するための商品コード生成／管理部と；
前記ＳＴＢにそれぞれ割り当てられた固有番号を格納するＳＴＢ情報ＤＢと；
ローカル帯広告を受信するために予め設定したユーザーまたは前記ＳＴＢに関連した認証情報を格納するための認証情報ＤＢと；
放送データにインサートする商品情報別商品コードを格納するための商品コードＤＢと；
ローカル広告データを格納するためのローカル広告ＤＢと；
各ＳＴＢのユーザーである着信者からローカル広告受信要請信号を認証情報と共に予め受け付けて登録し、前記広告主端末からローカル広告データを受信して格納し、各商品コードを生成して放送データのシーン別商品広告とマッチングする商品コードを放送データにインサートさせ、各ＳＴＢから伝送された商品コード及びＳＴＢ固有番号によってマッチングするローカル帯広告データを抽出して当該ＳＴＢに伝送処理するコントローラと；を含むことを特徴とする請求項２１に記載のＩＰＴＶを利用した外部データインターフェースシステム。
【請求項２３】
（ａ）外部データ伝送サーバーが、多数の広告主端末から広告データ及び当該広告業者の広告対象地域情報を受信する段階と；
（ｂ）外部データ伝送サーバーが、地域別ローカル広告データを分類し、地域コードを与え、広告対象商品別分類コード情報を与えて格納する段階と；
（ｃ）前記外部データ伝送サーバーが、各商品分類別に生成したコード情報を放送データ伝送サーバーに伝送する段階と；
（ｄ）前記放送データ伝送サーバーが、当該商品分類コードを放送データのパケット内にインサートさせる段階と；
（ｅ）ＳＴＢに当該放送データを伝送してＩＰＴＶを通じて画面出力させる段階と；
（ｆ）前記ＳＴＢが当該商品分類コードを放送データから抽出する段階と；
（ｇ）前記外部データ伝送サーバーに対して自動セッションを設定し、ＩＰＴＶの固有番号またはＳＴＢの固有番号、及び商品分類コードを伝送する段階と；
（ｈ）前記外部データ伝送サーバーが、当該商品分類コード及び装置固有番号による地域コードを利用して、当該地域における当該商品群のローカル広告データを任意に抽出する段階と；
（ｉ）前記外部データ伝送サーバーが、当該ローカル広告データを前記ＳＴＢに伝送してＩＰＴＶを通じて画面出力させる段階と；を含むことを特徴とするＩＰＴＶを利用した外部データインターフェース方法。
【請求項２４】
前記（ｉ）段階は前記ローカル帯広告データの内部にキー操作を通じて自動で商品注文が発生できるように自動注文情報が含まれており、前記ＩＰＴＶを通した自動注文要請時その注文データが前記外部データ伝送サーバーを通じて当該広告主に伝送されるように処理することを特徴とする請求項２３に記載のＩＰＴＶを利用した外部データインターフェース方法。
【発明の詳細な説明】
【技術分野】
【０００１】
本発明はＩＰＴＶを利用した外部データインターフェースシステム及びその方法に関するもので、より詳細には携帯電話、その他データ通信装置、及びＩＰＴＶの固有番号を外部データ伝送サーバーに連動して登録し、ＳＭＳサーバー、移動通信社サーバー、メールサーバー、及び外部データ伝送サーバーを連動させて、ユーザーの設定によって文字、動画データ、及び画像データを所要の携帯電話やＩＰＴＶに伝送して出力させるＩＰＴＶを利用した外部データインターフェースシステム及びその方法に関するものである。
【背景技術】
【０００２】
最近の情報通信技術の発達に伴って、遠隔データ通信網上で少なくとも一つのホストサーバーを通じて多数の加入者にリアルタイムで多様な分野の情報を提供する情報提供技術の開発に対する研究が活発に進行している。
【０００３】
このような状況に基づいて、日常生活でユーザーが接する画面出力可能な外部データとしては、ＴＶを通して出力される放送データと携帯電話などを通じて出力される文字データ、動画データ、画像データ、及びコンピュータ端末を通じて出力される各種データがある。
【０００４】
しかし、携帯電話の場合にはモニターが非常に小さいので、文字データや動画、画像データを画面出力する時、壮年や老年層は視力の減退によってデータを正確に確認することができない場合が多い。たとえ視力がいい人でも、携帯電話モニターのサイズが小さいため、ユーザーに不便を与える。
【０００５】
また、家庭で休んでいる時、携帯電話を振動モードにセットした場合は、度々その携帯電話に対しての文字データを含んだ各種外部データの受信可否を確認することが難しい。したがって、大部分の場合、夜間にＴＶを視聴しても携帯電話を自分の近くに置いてＴＶを視聴する。
【０００６】
また、結婚記念日や家族の誕生日などの特定記念日を携帯電話に設定し、当該日時に達すると、アラームで特定記念日を知らせる機能がある。この場合、全ての家族が当該記念日であることを認知できず、携帯電話の所有主だけ記念日であることを認知できる問題点がある。携帯電話の所有主さえも当該時点が過ぎると、度々当該記念日を忘却する。
【発明の概要】
【発明が解決しようとする課題】
【０００７】
前述した従来技術の問題点に鑑みてなされた本発明は、携帯電話とＩＰＴＶの固有番号を外部データ伝送サーバーに連動して登録し、ＳＭＳサーバー、移動通信社サーバー、及び外部データ伝送サーバーを連動させて、ユーザーの設定によって文字、動画データ、及び画像データを所要の携帯電話やＩＰＴＶに伝送して出力させるＩＰＴＶを利用した外部データインターフェースシステム及びその方法を提供することにその目的がある。
【０００８】
本発明の他の目的は携帯電話とＩＰＴＶの固有番号を外部データ伝送サーバーに連動して登録し、ＳＭＳサーバー、移動通信社サーバー、及び外部データ伝送サーバーを連動させた状態で、発信者情報が予め登録されたかを判断し、登録済みの発信者データの場合には別の認証を省略してＩＰＴＶモニターに受信したデータを出力させ、未登録の発信者の場合には別のユーザー承認処理を行うＩＰＴＶを利用した外部データインターフェースシステム及びその方法を提供することにある。
【０００９】
本発明のまた他の目的は受信した外部データをユーザーの設定によってＩＰＴＶの電源ターンオン時、または電源ターンオフ時、リアルタイムで出力可能に設定し、当該設定データによって外部データの出力を制御するＩＰＴＶを利用した外部データインターフェースシステム及びその方法を提供することにある。
【００１０】
本発明のまた他の目的は携帯電話とＩＰＴＶの固有番号を外部データ伝送サーバーに連動して登録し、ＳＭＳサーバー、移動通信社サーバー、及び外部データ伝送サーバーを連動させて、ユーザーの設定によって文字、動画データ、及び画像データを携帯電話やＩＰＴＶに伝送して出力させ、当該データの出力時間の間の放送データはＰＶＲを通じて自動録画するように処理するＩＰＴＶを利用した外部データインターフェースシステム及びその方法を提供することにある。
【００１１】
本発明のまた他の目的は外部データ伝送サーバーからデータを受信した時点にＩＰＴＶを通して放送データが出力される場合には、放送データ出力画面のサイズが自動で縮小され、その余白画面に外部データが出力されるように制御するＩＰＴＶを利用した外部データインターフェースシステム及びその方法を提供することにある。
【００１２】
本発明のまた他の目的は携帯電話とＩＰＴＶの固有番号を外部データ伝送サーバーに連動して登録し、ユーザーの設定による特定記念日情報を所要の時点にＩＰＴＶに伝送して出力するように制御するＩＰＴＶを利用した外部データインターフェースシステム及びその方法を提供することにある。
【００１３】
本発明のまた他の目的は放送データの内部シーン（ｓｃｅｎｅ）情報に商品コード情報を含ませ、当該商品コード情報とＩＰＴＶの地域情報を利用してマッチングされるローカル広告データを伝送して出力させることによって、放送シーンとローカル広告の内容を一致させるＩＰＴＶを利用した外部データインターフェースシステム及びその方法を提供することにある。
【課題を解決するための手段】
【００１４】
前述した目的を達成するための本発明に係るＩＰＴＶを利用した外部データインターフェースシステムは、放送アクセスネットワークを介して放送データを各家庭に備えられたＳＴＢ（Ｓｅｔ−Ｔｏｂ  Ｂｏｘ）に伝送する放送データ伝送サーバーと；遠隔サーバーにＳＴＢ固有番号及び着信者携帯電話番号を登録し、前記放送データ伝送サーバーから伝送される放送データの画面出力の間にその遠隔サーバーから伝送された外部データを格納し、画面を自動スイッチングさせ、その外部データを画面出力させるＳＴＢと；前記ＳＴＢから着信者携帯電話の電話番号情報及びＳＴＢ固有番号情報を予め受信し、これをそれぞれ連動して登録し、ＳＭＳサーバーを含んだ移動通信社サーバーと発信者ＰＣに当該情報を登録させて当該着信者携帯電話やＳＴＢの固有番号を通じて文字データ、動画及び画像データなどの外部データを受信して当該ＳＴＢに伝送処理する外部データ伝送サーバーと；含むことを特徴とする。
【００１５】
また、本発明に係るＩＰＴＶを利用した外部データインターフェース方法は、（ａ）外部データ伝送サーバーに各ＳＴＢの固有番号を登録し、着信者の携帯電話番号を登録させる段階と；（ｂ）前記外部データ伝送サーバーが、移動通信社サーバーと当該着信者情報を共有しながら、当該着信者の携帯電話に伝送された外部データ伝送を承認登録する段階と；（ｃ）前記外部データ伝送サーバーが、発信者ＰＣまたは多数のメールサーバー及び移動通信社サーバー、ＳＭＳサーバーを含んだ外部データ伝送手段から特定着信者の携帯電話や特定メールＵＲＬに伝送される外部データを受信するか否かを判断する段階と；（ｄ）前記外部データ伝送サーバーが、その着信者情報に連動された前記ＳＴＢ情報を抽出する段階；（ｅ）前記外部データ伝送サーバーが、前記ＳＴＢに当該着信者情報を伝送して画面出力させる段階と；（ｆ）前記外部データ伝送サーバーが、当該認証確認信号を当該ＳＴＢから受信し、正常な認証信号であるかを当該ＳＴＢのデータ比較を通じて確認する段階と；（ｇ）外部データの伝送を許す正常認証であると確認した状態では、外部データを当該ＳＴＢに伝送する段階を含むことを特徴とする。
【発明の効果】
【００１６】
上述及び後述するように、本発明は携帯電話及び電子メールサーバー、移動通信社サーバーなどの各種データ通信装置から受信した外部データをユーザーの設定によってＩＰＴＶにインターフェースして画面出力でき、その出力時点を予めユーザーが設定して集中度が高い時点に外部データを出力できる。また、発信者情報を着信者が予め登録し、登録された発信者の場合は認証を省略することによって、迅速なデータ伝送が可能である。その上、外部データの種類及び容量によって出力される放送画面を自動で調節することによって、元放送の画面を妨害せずに、外部データを出力させることができる。
【図面の簡単な説明】
【００１７】
【図１】本発明の第１実施形態によるＩＰＴＶを利用した外部データインターフェースシステムの構成を概略的に示す模式図である。
【図２】本発明の第１実施形態によるＩＰＴＶを利用した外部データインターフェースシステムのデータ流れを示すブロック図である。
【図３】本発明の第１実施形態によるＩＰＴＶを利用した外部データインターフェースシステムを通じてＩＰＴＶに出力される外部データを示す画面である。
【図４】本発明の第１実施形態によるＩＰＴＶを利用した外部データインターフェースシステムに含まれるＳＴＢの構成を示すブロック図である。
【図５】本発明の第１実施形態によるＩＰＴＶを利用した外部データインターフェースシステムに含まれる外部データ伝送サーバーの構成を示すブロック図である。
【図６】本発明の第１実施形態によるＩＰＴＶを利用した外部データインターフェースシステムの全体の信号流れを示すフローチャートである。
【図７】図７Ａ、７Ｂは本発明の第１実施形態によるＩＰＴＶを利用した外部データインターフェースシステムの発信者登録及びデータ受信経路設定に対する信号流れを示すフローチャートである。
【図８】本発明の第１実施形態によるＩＰＴＶを利用した外部データインターフェースシステムを通じて出力される外部データの出力画面指定に対する信号流れを示すフローチャートである。
【図９】本発明の第２実施形態によるＩＰＴＶを利用した外部データインターフェースシステムに含まれたＳＴＢの構成を示すブロック図である。
【図１０】本発明の第２実施形態によるＩＰＴＶを利用した外部データインターフェースシステムの信号流れを示すフローチャートである。
【図１１】本発明の第３実施形態によるＩＰＴＶを利用した外部データインターフェースシステムに含まれたＳＴＢの構成を示すブロック図である。
【図１２】本発明の第３実施形態によるＩＰＴＶを利用した外部データインターフェースシステムの信号流れを示すフローチャートである。
【図１３】本発明の第４実施形態によるＩＰＴＶを利用した外部データインターフェースシステムの信号流れを示すフローチャートである。
【図１４】本発明の第５実施形態によるＩＰＴＶを利用した外部データインターフェースシステムを通じてＩＰＴＶに出力される画面領域を示す図面である。
【図１５】本発明の第５実施形態によるＩＰＴＶを利用した外部データインターフェースシステムに含まれる外部データ伝送サーバーの構成を示すブロック図である。
【図１６】本発明の第５実施形態によるＩＰＴＶを利用した外部データインターフェースシステムの全体の信号流れを示すフローチャートである。
【発明を実施するための形態】
【００１８】
以下、添付図面を参照して本発明の第１実施例について詳細に説明する。
【００１９】
図１は本発明の第１実施形態によるＩＰＴＶを利用した外部データインターフェースシステムの構成を概略的に示す模式図である。
【００２０】
図１を参照すると、本発明のシステムは携帯電話とＩＰＴＶの固有番号を外部データ伝送サーバーに連動して登録し、ＳＭＳサーバー、移動通信社サーバー、及び外部データ伝送サーバーを連動させて、ユーザーの設定によって文字、動画データ、及び画像データを携帯電話やＩＰＴＶに伝送して出力させるシステムである。
【００２１】
すなわち、本発明のシステムはＩＰＴＶを利用して携帯電話やコンピュータ端末に伝送された外部データをＩＰＴＶにインターフェースして、画面出力させるシステムであり、外部データは文字データ、動画データ、及び画像データを全て含む。
【００２２】
一般的に、ＩＰＴＶを構成するＤＴＶ及びＰＶＲ装置において、ＰＶＲはＳＴＢに内蔵された形態で構成されており、衛星、ケーブル、地上波などから伝送される放送信号をＳＴＢ（ｓｅｔ−ｔｏｐ  ｂｏｘ）からＰＶＲに提供し、ＰＶＲはこの信号を録画する構造になっている。そして、ＤＴＶはＳＴＢと直接連結されて衛星、ケーブル、地上波から放送信号を受信し、これをディスプレーしたり、ＰＶＲに格納されているコンテンツをディスプレーする機能を行う。
【００２３】
このようなＩＰＴＶはコンピュータ端末と同様に、内部にモデムを備えており、特定ＵＲＬに対するインターネットサーフィン及びデータのアップロード及びダウンロードが可能である。
【００２４】
また、本発明のシステムは携帯電話とＩＰＴＶの固有番号を外部データ伝送サーバーに連動して登録し、ＳＭＳサーバー、移動通信社サーバー、及び外部データ伝送サーバーを連動させた状態で、予め登録された発信者情報であるかを判断し、登録済みの発信者データの場合には別途の認証を省略してＩＰＴＶモニターに受信したデータを出力させ、未登録の発信者の場合には別のユーザー承認処理を行うシステムである。
【００２５】
すなわち、本発明のシステムは老人や児童、主婦などを含んだユーザーの使用便宜性を高めるためにサーバーから伝送された外部データを発信者の情報によって選択的に出力するシステムである。より詳細には、登録済みの発信者から伝送された外部データの場合は、認証過程を省略して直ちにＩＰＴＶを通じて出力させる。一方、未登録の発信者から伝送された外部データは別の認証を行い、認証成功時には画面出力させる。
【００２６】
また、本発明のシステムは携帯電話とＩＰＴＶの固有番号を外部データ伝送サーバーに連動して登録し、ＳＭＳサーバー、移動通信社サーバー、及び外部データ伝送サーバーを連動させて、ユーザーの設定によって携帯電話で受信した文字、動画データ、及び画像データを携帯電話やＩＰＴＶに伝送して出力させ、当該データの出力時間の間の放送データはＰＶＲを通じて自動録画するように処理するシステムである。
【００２７】
すなわち、本発明のシステムは外部データがＩＰＴＶを通じて出力される場合、画面を通じて予め出力されていた放送データはＰＶＲを通じて自動録画させて、外部データの出力が完了した時点に録画した放送データを再生するように制御する。
【００２８】
このために、本発明のシステムに設けられたＳＴＢ４にはケーブル、衛星、地上波の放送アクセスネットワークを介して放送データを各家庭に備えられたＳＴＢ４に伝送する放送データ伝送サーバー８が接続されている。
【００２９】
この時、放送データ伝送サーバー８は衛星、ケーブル、地上波などの放送信号を受信して各家庭のＳＴＢ４に送出する地域ケーブル放送社、地上波放送社などの放送社に位置するサーバーである。
【００３０】
本発明のシステムにおいて、ＳＴＢ４は放送データ伝送サーバー８に伝送する放送データの画面出力の間に、遠隔サーバーにＳＴＢ固有番号及び着信者携帯電話番号を登録し、その遠隔サーバーから伝送された外部データを格納し、画面を自動スイッチングさせ、その外部データを画面出力させるように構成される。
【００３１】
また、本発明のシステムには、予めＳＴＢ４から着信者携帯電話の電話番号情報及びＳＴＢ固有番号情報を受信し、これをそれぞれ連動して登録し、ＳＭＳサーバーを含んだ移動通信社サーバー（以下、移動通信社サーバーという）１４と発信者ＰＣ１６に当該情報を登録させ、当該着信者携帯電話やＳＴＢの固有番号に伝送される文字データ、動画及び画像データなどの外部データを受信して当該ＳＴＢ４に伝送処理する外部データ伝送サーバー１０が提供される。
【００３２】
したがって、本発明のシステムにおいては、外部データ伝送サーバー１０がインターネット網を通じて、移動通信社サーバー１４及び発信者ＰＣ１６にデータ受信可能に連結された状態で、ＳＴＢ４から着信者携帯電話の電話番号情報及びＳＴＢ固有番号情報を受信し、これをそれぞれ連動して登録し、外部データに対する着信を待機するようになる。
【００３３】
その状態で、移動通信社サーバー１４から着信者の電話番号情報及び発信者の電話番号情報を含めた外部データが伝送されると、外部データ伝送サーバー１０は当該着信者電話番号に連動されたＳＴＢ固有番号を抽出して当該ＳＴＢ４に外部データを伝送処理し、その外部データをＩＰＴＶ２に出力させる。
【００３４】
この時、本発明のシステムに備えられた外部データ伝送サーバー１０は、好ましくはＳＴＢ４から認証を省略する発信者の電話番号情報、すなわち認証なく受信と同時にＩＰＴＶ２を通じて外部データを出力しても構わないという要請信号と発信者の電話番号情報を登録させることができ、外部データ伝送サーバー１０は外部データに含まれた発信者の電話番号情報をＳＴＢ４別に予め登録された発信者の電話番号情報と比較して選択的に認証処理を行う。
【００３５】
また、ユーザーは外部データ伝送サーバー１０に特定発信者の電話番号情報を登録し、当該特定発信者電話番号から外部データを受信した場合は、当該外部データをＳＴＢ４に伝送しないようにユーザーが遮断設定を行うことができる。そのような場合にも、移動通信社サーバー１４が受信した外部データを着信者携帯電話に伝送するようになる。したがって、着信者は当該外部データをＩＰＴＶ２に出力しないように設定し、既存通信システムと同様に着信者携帯電話に当該外部データが出力される。
【００３６】
より好ましくは、本発明のシステムに備えられたＳＴＢ４は外部データ伝送サーバー１０から伝送された外部データを格納し、その外部データをＩＰＴＶ２を通じて画面出力する時、放送データの出力中であるかどうかを判断する。この時、ＩＰＴＶ２を通じて放送データが出力されていると、当該放送データをＰＶＲ６を通じて自動録画させ、外部データを画面にスイッチングして出力させる。以後、ＳＴＢ４は外部データが全て出力されたのかを判断し、ＰＶＲ６に録画された放送データをさらにＩＰＴＶ２を通じて出力するように制御する。
【００３７】
図２は本発明システムのデータ流れを示すブロック図であり、図３は本発明のシステムを通じてＩＰＴＶに出力される外部データを示す画面である。
【００３８】
図２と３を参照すると、本発明のシステムに含まれた外部データ伝送サーバー１０は、インターネット網を通じて移動通信社サーバー１４及び発信者ＰＣ１６にデータ受信可能に連結される。この状態で、ＳＴＢ４から着信者携帯電話の電話番号情報及びＳＴＢ固有番号情報を受信し、これをそれぞれ連動して登録し、外部データに対する着信を待機するようになる。
【００３９】
その状態で、ユーザーはＳＴＢ４を介して放送データを受信し、放送データ伝送サーバー８はＩＰＴＶのデジタル放送システムを備えた各家庭のチャンネル要求信号によってＳＴＢ４にそれぞれ相異なったチャンネル放送データを送信する。
【００４０】
同一のチャンネル放送データが伝送されると、各家庭のＳＴＢ４は同一の放送データを受信して画面出力するようになる。
【００４１】
この時、移動通信社サーバー１４から着信者の電話番号情報及び発信者の電話番号情報を含めた外部データが伝送されると、外部データ伝送サーバー１０は当該着信者電話番号に連動されたＳＴＢ固有番号を抽出して当該ＳＴＢ４に当該外部データを伝送処理し、その外部データをＩＰＴＶ２に出力させる。
【００４２】
また、ＩＰＴＶ２の画面への外部出力は、そのＩＰＴＶ２を通じて画面出力されている放送データをＰＶＲ６で録画できるように録画モードを実行させると共に、ＳＴＢ４によって画面を外部データの出力画面にスイッチングして達成する。
【００４３】
動画データ、画像データ、文字データは全て外部データとして出力可能である。例えば、ＩＰＴＶ６を通じて出力された放送データがＳＴＢ４により自動録画モードにスイッチングされ、図３に示すような外部データが画面出力される。図３の動画データ例は、孫がおばあさんまたはおじいさんの携帯電話番号に動画データを伝送し、その動画データが外部データ伝送サーバー１０を介してＳＴＢ４に伝送され、ＩＰＴＶ２を通じて出力される。すなわち、図３は動画画面２０と文字２２を同時に出力するマルチデータに対する出力例を示す。
【００４４】
特に、老人や児童、機械操作に不慣れな主婦の場合に、予め自分の着信者携帯電話を外部データ伝送サーバー１０に登録すると、ＩＰＴＶ２を介して自分の着信者携帯電話で受信した外部データをＩＰＴＶ２を通じて出力できる。
【００４５】
図４は本発明のシステムに含まれるＳＴＢの構成を示すブロック図である。
【００４６】
図４を参照すると、本発明のシステムに含まれるＳＴＢ４は、その内部に通信モジュール、リモコン情報受信部、放送出力コントローラ、外部データ出力コントローラ、放送データ録画コントローラ、画面スイッチ、データ格納部、及びコントローラから構成される。
【００４７】
通信モジュール２４は放送アクセスネットワークまたはインターネット網に接続して放送データ伝送サーバー８及び外部データ伝送サーバー１０とのデータ送受信を行い、プロトコルマッチング及びフィルタリングを行う。
【００４８】
リモコン情報受信部２６は視聴者の携帯電話受信データに対するＩＰＴＶ２へのインターフェース要請信号を発生し、着信側の携帯電話番号情報及び発信側の認証省略用電話番号情報、認証情報入力信号に対するリモコン信号を受信する。
【００４９】
放送出力コントローラ２８は放送データ伝送サーバー８からデジタル放送データを受信し、ＤＴＶ２を通じてこれを出力制御する公知の放送出力コントローラである。この放送出力コントローラ２６は通常のＳＴＢ４に搭載されたハードウェア及びソフトウェアの構成を言うものである。一般的なデジタル放送データはＭＰＥＧバージョンで圧縮され、ＳＴＢ４内部に備えられたデコーダー（不図示）を通じて圧縮が解除されるが、このような構成要素はＩＰＴＶの一般的な構成要素である。放送出力コントローラ２６は、このようなハードウェア及びＯＳを通じて通常の放送出力機能を行う放送出力コントローラ２６であるので、それについての具体的な説明は省略する。
【００５０】
外部データ出力コントローラ３０は外部データ伝送サーバー１０から伝送された動画、画像、及び文字データからなった外部データをＩＰＴＶ２に画面出力させるためにデータ出力制御を行う。
【００５１】
放送データ録画コントローラ３２はＰＶＲ６を録画モードに転換させ、出力進行中の放送データを外部データが出力される時間に録画するようにＰＶＲ６を制御する役割をする。
【００５２】
画面スイッチ３４は放送データ録画コントローラ３２に連動してＩＰＴＶ２を通じて出力される放送データを外部データに画面スイッチングする制御を行う。
【００５３】
また、画面スイッチ３４はＩＰＴＶ２の画面出力を制御し、ＩＰＴＶ２の画面に外部データを出力するか、または放送データを出力するかを決定して画面の出力を制御する。このために、その制御信号を放送出力コントローラ２８及び放送データ録画コントローラ３２に伝送して画面スイッチングが行われるようにする。
【００５４】
データ格納部３６は外部データ伝送サーバー１０から伝送された外部データ、視聴者が既登録した認証暗号情報、ＳＴＢ固有番号、及び画面スイッチングに対する制御ルーチンを格納する。
【００５５】
データ格納部３６に格納された画面スイッチング制御ルーチンは、外部データが出力される時点に、自動で放送データがＰＶＲ６を通じて録画されるように制御信号を発生し、外部データを画面出力するために予めプログラムした制御ルーチンを言う。
【００５６】
コントローラ３８はリモコン情報受信部２６を通じて受信したインターフェース要請信号、着信側の携帯電話番号情報及び発信側の認証省略用電話番号情報、認証情報入力信号を受信して認証情報を格納処理する。また、コントロールはインターフェース要請信号、着信側の携帯電話番号情報や発信側の認証省略用電話番号情報、及びＳＴＢ固有番号をサーバーに伝送処理し、外部データの受信確認時認証処理を行い、放送データを録画モードにスイッチングし、外部データをＩＰＴＶ２に画面出力するように制御する。
【００５７】
図５は本発明の第１実施形態によるＩＰＴＶを利用した外部データインターフェースシステムに含まれる外部データ伝送サーバーの構成を示すブロック図である。
【００５８】
図５を参照すると、本発明のシステムに含まれる外部データ伝送サーバー１０は、その内部に通信モジュール、認証処理部、画面制御情報生成部、ＳＴＢ情報管理部、ＳＴＢ情報ＤＢ、認証情報ＤＢ、発信者登録情報ＤＢ、画面制御情報ＤＢ、及びコントローラから構成される。
【００５９】
通信モジュール４０は各家庭に備えられたＳＴＢ４と発信者ＰＣ１６、移動通信社サーバー１４とのデータ送受信を行う。
【００６０】
認証処理部４２はＳＴＢ４から伝送された固有番号及び発信者認証情報を受信して登録し、発信者ＰＣ１６または移動通信社サーバー１４を通じて伝送された短文メッセージ、画像データ、及び動画データを伝送する発信者を認証して着信者が予めデータ伝送を許した発信者であるか否かを確認する。
【００６１】
画面制御情報生成部４４はＳＴＢ４に付加されたＰＶＲ６を通じて画面に予め出力された放送データを録画するようにＰＶＲ６を録画モードに転換し、そのＰＶＲ６を駆動させて、画面を外部データに転換出力するための画面制御データを生成する。
【００６２】
ＳＴＢ情報管理部４６はＳＴＢ４にそれぞれ割り当てられた固有番号を管理する。
【００６３】
ＳＴＢ情報ＤＢ４８ａはＳＴＢ４にそれぞれ割り当てられた固有番号を格納し、認証情報ＤＢ４８ｂは各ＳＴＢ４の固有番号別に連動して構築された外部データを受信する着信者の認証情報を有する。
【００６４】
発信者登録情報ＤＢ４８ｃは外部データを特定ＳＴＢ４に伝送可能に許すために、予め着信者が許容可能な発信者の固有番号を登録して格納する。画面制御情報ＤＢ４８ｄはＳＴＢ４に付加されたＰＶＲ６を通じて画面に予め出力された放送データを録画するようにＰＶＲ６を録画モードに転換し、そのＰＶＲ６を駆動させて、画面を外部データに転換出力するための画面制御データを格納する。
【００６５】
コントローラ５０は各ＳＴＢ４のユーザーである着信者から発信者の認証情報を予め受け付けて登録し、移動通信社サーバー１４及び発信者ＰＣ１６に接続されてインターネット網を通じて受信した外部データの発信者を認証し、認証完了時当該外部データを当該ＳＴＢ４に伝送処理し、その外部データをＩＰＴＶ２に出力するように制御する。
【００６６】
この時、コントローラ５０はＩＰＴＶ２を通じて予め放送画面が出力された時点に外部データが印加された状態であれば、ＰＶＲ６に録画制御信号を発生すると共に、外部データを画面出力させて今後当該放送データを再出力可能に制御を行う。
【００６７】
以下、前述した構成の本発明の第１実施形態によるＩＰＴＶを利用した外部データインターフェースシステムの機能と作用について添付図面を参照して詳細に説明する。
【００６８】
図６は本発明の第１実施形態によるＩＰＴＶを利用した外部データインターフェースシステムの全体の信号流れを示すフローチャートである。
【００６９】
まず、遠隔の外部データ伝送サーバー１０に各ＳＴＢ４の固有番号を登録し、着信者の携帯電話番号を登録させる（段階ＳＴ−１）。
【００７０】
そうすると、外部データ伝送サーバー１０は移動通信社サーバー１４と当該着信者情報を共有しながら、当該着信者の携帯電話に伝送された外部データをＩＰＴＶ２にインターフェースして画面出力させる。
【００７１】
したがって、外部データ伝送サーバー１０は発信者ＰＣ１６または多数のメールサーバー（不図示）及び移動通信社サーバー１４、ＳＭＳサーバー（不図示）を含んだ外部データ伝送手段から特定着信者の携帯電話や特定メールＵＲＬに伝送される外部データを受信するか否かを判断する（段階ＳＴ−３）。
【００７２】
そして、外部データ伝送サーバー１０はデータベースに構築された着信者情報を通じて、その着信者情報に連動されたＳＴＢ４情報を抽出する（ＳＴ−４）。
【００７３】
次に、外部データ伝送サーバー１０はＳＴＢ４に当該着信者情報を伝送して画面出力させる。
【００７４】
これを通じて、ＳＴＢ４は着信者がＩＰＴＶ２の画面を通じて出力される着信者情報を確認し、リモコンやキーパネルを通じて認証確認信号、すなわち外部データ伝送許容信号を発生させる（ＳＴ−５）。
【００７５】
そうすると、外部データ伝送サーバー１０は当該認証確認信号を当該ＳＴＢ４から受信して、正常な認証信号であるかを当該ＳＴＢ４のデータ比較を通じて確認する（ＳＴ−６及びＳＴ−７）。
【００７６】
すなわち、外部データ伝送サーバー１０は当該ＳＴＢ４から認証確認信号を受信し、外部データの伝送を許す正常認証であると確認した状態では、外部データを当該ＳＴＢ４に伝送する（ＳＴ−９）。
【００７７】
そうすると、ＳＴＢ４は当該外部データをＩＰＴＶ２の画面を通じて出力させる（ＳＴ−１０）。外部データが文字データの場合は文字データを画面出力し、外部データが動画データの場合はビデオコーデックを駆動して動画データを画面出力させる。
【００７８】
反面に、外部データ伝送サーバー１０によって当該ＳＴＢ４から受信したデータが非正常認証であると確認した状態では、外部データの伝送を許さない信号であるため、外部データ伝送不可情報を当該発信者ＰＣ１６や移動通信社サーバー１４、ＳＭＳサーバー（不図示）に出力させる（ＳＴ−８）。
【００７９】
好ましくは、付加的に外部データ伝送サーバー１０は認証確認要請信号を伝送したＳＴＢ情報及び、当該認証確認信号を受信したＳＴＢ情報を比較して、固有番号が同一に一致しているかを判断することによって、正常データの受信可否を確認することができる。
【００８０】
したがって、外部データ伝送サーバー１０が移動通信社サーバー１４及び発信者ＰＣ１６に接続されてインターネット網を通じてデータ受信可能に連結された状態で、移動通信社サーバー１４から着信者の電話番号情報及び発信者の電話番号情報を含めた外部データが伝送されると、外部データ伝送サーバー１０は当該着信者電話番号に連動されたＳＴＢ固有番号を抽出して当該ＳＴＢ４に外部データを伝送処理し、その外部データをＩＰＴＶ２に出力させる。
【００８１】
図７Ａ、７Ｂは本発明の第１実施形態によるＩＰＴＶを利用した外部データインターフェースシステムの発信者登録及びデータ受信経路設定に対する信号流れを示すフローチャートである。
【００８２】
まず、本発明のシステムを通じて、外部データをＳＴＢ４で受信することにおいて、発信者認証を省略する情報登録モードが図７Ａに示されており、外部データの受信経路を予めユーザーが設定するためのモードが図７Ｂに示されている。
【００８３】
図７Ａを参照すると、外部データをＳＴＢ４で受信することにおいて、発信者認証を省略する情報登録過程は、まずＩＰＴＶ２または着信者ＰＣ（不図示）を利用して、外部データ伝送サーバー１０にインターネットを通じて接続する（ＳＴ−１１）。
【００８４】
その状態で、外部データ伝送サーバー１０がＩＰＴＶ２または着信者ＰＣ（不図示）から認証省略発信者情報の登録要請信号を受信し、外部データ伝送サーバー１０はＩＰＴＶ２または着信者ＰＣ（不図示）から認証を省略する発信者情報を受信する（ＳＴ−１２及びＳＴ−１３）。
【００８５】
そして、外部データ伝送サーバー１０は認証を省略する発信者情報の入力が終了したか否かを判断し、入力が終了した状態であれば当該情報を臨時メモリに登録させる（ＳＴ−１４）。
【００８６】
その後、外部データ伝送サーバー１０は認証を省略する発信者情報と、当該発信者情報を登録させたＳＴＢ４の固有番号を共に連動してデータベースに登録させる（ＳＴ−１５及びＳＴ−１６）。
【００８７】
図７Ｂを参照して、外部データの受信経路を予めユーザーが設定するための過程を説明する。まず、ＩＰＴＶ２または着信者ＰＣ（不図示）を利用して、外部データ伝送サーバー１０にインターネットを通じて接続する（ＳＴ−２０）。
【００８８】
その状態で、外部データ伝送サーバー１０がＩＰＴＶ２または着信者ＰＣ（不図示）から発信者情報を受信し、当該発信者から外部データが受信されると、ＳＴＢ４と携帯電話（不図示）に同時に当該外部データを伝送するか（ＳＴ−２２）、ＳＴＢ４にだけ外部データを伝送するか（ＳＴ−２３）、携帯電話にだけ外部データを伝送するか（ＳＴ−２４）、またはメールにだけ伝送するかについての信号が受信されているかを判断する（ＳＴ−２５）。
【００８９】
すなわち、着信者は外部データ伝送サーバー１０に接続し、その外部データ伝送サーバー１０に連動された多数のサーバーから受信した外部データを伝送する手段を予め設定するようになる（ＳＴ−２６）。
【００９０】
したがって、着信者が各発信者別に受信した外部データに対する受信経路をそれぞれ設定すると、その設定データは外部データ伝送サーバー１０に登録される（ＳＴ−２７）。
【００９１】
その状態で、外部データ伝送サーバー１０はＳＭＳサーバー（不図示）を含んでいる移動通信社サーバー１４や、メールサーバー（不図示）に当該受信経路データを伝送する（ＳＴ−２７）。
【００９２】
次に、当該ＳＭＳサーバー、移動通信社サーバー１４、またはメールサーバーにＳＭＳデータ、画像データ、及び動画データが受信されると（ＳＴ−２８）、当該ＳＭＳサーバー、移動通信社サーバー１４や、メールサーバーは各発信者別に予め設定された当該受信経路データを抽出し、当該受信装置でデータを送信処理する（ＳＴ−２９）。
【００９３】
この時、当該ＳＭＳサーバー、移動通信社サーバー１４が文字データや画像／動画データを受信したが、当該発信者から伝送された当該外部データは携帯電話ではない他の受信装置、例えばＩＰＴＶ２や電子メールに伝送するように設定した場合がある。その場合、当該ＳＭＳサーバー、移動通信社サーバー１４は受信した外部データの文字データや画像／動画データを外部データ伝送サーバー１０に伝送する（ＳＴ−３０）。
【００９４】
そうすると、外部データ伝送サーバー１０は予め設定された当該発信者の受信経路によって、当該受信装置に外部データを伝送して処理するようにする。
【００９５】
したがって、外部データ伝送サーバー１０に特定発信者の電話番号情報を登録して当該発信者電話番号から外部データを受信した場合、ユーザーはＳＴＢ４への伝送を遮断するように当該外部データを設定できる。その場合にも、移動通信社サーバー１４が受信した外部データを着信者携帯電話への伝送は行う。したがって、着信者はただＩＰＴＶ２に当該外部データを出力しないようにすることであり、既存通信システムと同様に着信者携帯電話では当該外部データを受信する。
【００９６】
図８は本発明の第１実施形態によるＩＰＴＶを利用した外部データインターフェースシステムを通じて出力される外部データの出力画面指定に対する信号流れを示すフローチャートである。
【００９７】
まず、本発明のシステムは各家庭に備えられたＳＴＢ４及び外部データ伝送サーバー１０が信号伝送可能に接続された状態で、外部データ伝送サーバー１０がＳＭＳサーバー、移動通信社サーバー１４や、メールサーバーから外部データを受信し、その外部データをＳＴＢ４に伝送する（ＳＴ−３１）。
【００９８】
そうすると、ＳＴＢ４は当該外部データを受信すると共に、そのＳＴＢ４に連動されたＰＶＲ６を制御して放送データ録画モードに転換する（ＳＴ−３２）。
【００９９】
したがって、ＰＶＲ６は放送データ録画モードに転換されて現在の画面を通じて出力される放送データの録画を開始する（ＳＴ−３３）。同時に、ＳＴＢ４は画面をスイッチングして受信した外部データを画面出力させる（ＳＴ−３４）。
【０１００】
その状態で、ＳＴＢ４は外部データの出力が終了したか否かを判断し、外部データの出力が終了した状態の場合は、画面を放送データに自動転換させてＰＶＲ６に既録画された放送データを画面出力させる。
【０１０１】
以下、添付図面を参照して本発明の第２実施形態について詳細に説明する。
【０１０２】
図９は本発明の第２実施形態によるＩＰＴＶを利用した外部データインターフェースシステムに含まれたＳＴＢの構成を示すブロック図である。
【０１０３】
図９を参照すると、本発明のシステムは受信した外部データをユーザーの設定によって多様な出力時点に出力するように設定できる。別途の設定がないと、リアルタイムで外部データを画面に出力し、特にＩＰＴＶの電源ターンオン時、または電源ターンオフ時出力可能に設定でき、当該設定データによって外部データの出力を制御するシステムである。
【０１０４】
このために、本発明のシステムに含まれたＳＴＢ４’は、その内部に通信モジュール、リモコン情報受信部、放送出力コントローラ、外部データ出力コントローラ、放送データ録画コントローラ、外部データ格納部、画面スイッチ、データ格納部、及びコントローラを備える。
【０１０５】
通信モジュール２４は放送アクセスネットワークまたはインターネット網に接続して放送データ伝送サーバー８及び外部データ伝送サーバー１０とのデータ送受信を行い、リモコン（不図示）から受信した外部データの出力時点情報を受信してプロトコルマッチング及びフィルタリングを行う。
【０１０６】
リモコン情報受信部２６は視聴者の携帯電話受信データに対するＩＰＴＶ２へのインターフェース要請信号を発生し、着信側の携帯電話番号情報及び発信側の認証省略用電話番号情報、認証情報入力信号、及び外部データの出力時点情報に対するリモコン信号を受信する。
【０１０７】
放送出力コントローラ２８は放送データ伝送サーバー８からデジタル放送データを受信してＤＴＶ２を通じて出力制御する公知の放送出力コントローラである。この放送出力コントローラ２６は通常のＳＴＢ４’に搭載されたハードウェア及びソフトウェアの構成を称するものである。一般的なデジタル放送データはＭＰＥＧバージョンで圧縮され、ＳＴＢ４’内部に構成されたデコーダー（不図示）を通じて圧縮が解除される。しかし、このような構成要素はＩＰＴＶの一般的な構成要素であり、放送出力コントローラ２６はこのようなハードウェア及びＯＳを通じて通常の放送出力機能を行う放送出力コントローラ２６であるので、それについての具体的な説明は省略する。
【０１０８】
外部データ出力コントローラ３０は外部データ伝送サーバー１０から伝送された動画、画像、及び文字データからなった外部データをＩＰＴＶ２に画面出力させるために、データ出力制御を行う。
【０１０９】
放送データ録画コントローラ３２はＰＶＲ６を録画モードに転換させ、出力進行中の放送データを外部データが出力される時間に録画するようにＰＶＲ６を制御する。
【０１１０】
外部データ格納部３３はＳＭＳサーバー（不図示）、移動通信社サーバー１４、メールサーバー（不図示）から受信した電子メールデータ、短文データ、画像及び動画データを含んだ外部データを格納する。
【０１１１】
画面スイッチ３４は放送データ録画コントローラ３２に連動してＩＰＴＶ２を通じて出力される放送データを外部データに画面スイッチングするための制御を行う。
【０１１２】
また、画面スイッチ３４はＩＰＴＶ２の画面出力を制御する。すなわち、ＩＰＴＶ２の画面に外部データを出力するか、または放送データを出力するかを決定して画面の出力を制御し、その制御信号を放送出力コントローラ２８及び放送データ録画コントローラ３２に伝送して画面スイッチングが行われるようにする。
【０１１３】
データ格納部３６は外部データ伝送サーバー１０から伝送された外部データ、視聴者が既登録した認証暗号情報、ＳＴＢ固有番号、及び画面スイッチングに対する制御ルーチン及び視聴者が予め設定した外部データの出力時点情報を格納する。
【０１１４】
データ格納部３６に格納された画面スイッチング制御ルーチンは、外部データが出力される時点に、自動で放送データがＰＶＲ６を通じて録画されるように制御信号を発生し、外部データの出力時点情報によって画面をスイッチングするために、予めプログラムした制御ルーチンを言う。
【０１１５】
コントローラ３８’はリモコン情報受信部２６を通じて受信したインターフェース要請信号、着信側の携帯電話番号情報及び発信側の認証省略用電話番号情報、及び認証情報入力信号を受信して認証情報を格納処理し、インターフェース要請信号、着信側の携帯電話番号情報や発信側の認証省略用電話番号情報、及びＳＴＢ固有番号をサーバーに伝送処理し、外部データの受信確認時認証処理を行って外部データを外部データ格納部３３に受信して格納し、既設定された出力時点情報によって放送データを録画モードにスイッチングし、外部データ格納部３３に格納された外部データをＩＰＴＶ２に画面出力するように制御する。
【０１１６】
これを通じて、本発明のシステムに含まれたＳＴＢ４’において、外部データをリアルタイムで出力するように設定せずに、１時間単位にこれを出力するように設定したり、電源ターンオン時または電源ターンオフ時外部データを出力するように設定した場合に、当該外部データは外部データ格納部３３に格納されており、当該時点に外部データが画面出力される。
【０１１７】
特に、電源ターンオフ時には外部データの画面出力が全て完了した後に、ＩＰＴＶ２及びＳＴＢ４の電源をオフさせる。
【０１１８】
一方、外部データをリアルタイムで出力するように設定せずに、電源ターンオフ時外部データを画面出力するように設定した場合、ＳＴＢ４のコントローラ３８’は受信した外部データを内部に備えられた外部データ格納部３３に格納し、電源ターンオフ信号が受信された場合は、その外部データ格納部３３に格納された外部データを抽出して画面出力するように制御する（ＳＴ−４３及びＳＴ−４４）。
【０１１９】
すなわち、実際電源ターンオフ時点は外部データが全て画面出力された以後に先送りされる。
【０１２０】
また、電源ターンオフ時外部データを画面出力するように設定せずに、電源ターンオン時外部データを画面出力するように設定した場合、ＳＴＢ４のコントローラ３８’は受信した外部データを内部に備えられた外部データ格納部３３に格納し、電源ターンオン信号が受信された場合は、その外部データ格納部３３に格納された外部データを抽出して画面出力するように制御する（ＳＴ−４５、ＳＴ−４６、及びＳＴ−４７）。
【０１２１】
以下、添付図面を参照して本発明の第３実施形態について詳細に説明する。
【０１２２】
図１１は本発明の第３実施形態によるＩＰＴＶを利用した外部データインターフェースシステムに含まれたＳＴＢの構成を示すブロック図である。
【０１２３】
図１１を参照すると、本発明のシステムは外部データ伝送サーバーからデータを受信した時点にＩＰＴＶを通した放送データの出力が行われる場合には放送データ出力画面のサイズが自動で縮小され、その余白画面に外部データが出力されるように制御するシステムである。
【０１２４】
したがって、本発明のシステムに含まれたＳＴＢ４”は外部データの種類及び容量によって放送データの出力サイズを調節して外部データが十分にその放送データの余白に出力されるようにする。
【０１２５】
このために、本発明のシステムに含まれたＳＴＢ４”は、その内部に通信モジュール、リモコン情報受信部、放送出力コントローラ、外部データの出力コントローラ、放送データ録画コントローラ、外部データ格納部、画面スイッチ、画面サイズコントローラ、データ格納部、及びコントローラを備える。
【０１２６】
通信モジュール２４は放送アクセスネットワークまたはインターネット網に接続して放送データ伝送サーバー８及び外部データ伝送サーバー１０とのデータ送受信を行い、リモコン（不図示）から受信した外部データの出力時点情報を受信してプロトコルマッチング及びフィルタリングを行う。
【０１２７】
リモコン情報受信部２６は視聴者の携帯電話受信データに対するＩＰＴＶ２へのインターフェース要請信号を発生し、着信側の携帯電話番号情報及び発信側の認証省略用電話番号情報、認証情報入力信号、及び外部データの出力時点情報に対するリモコン信号を受信する。
【０１２８】
放送出力コントローラ２８は放送データ伝送サーバー８からデジタル放送データを受信してＤＴＶ２を通じて出力制御する公知の放送出力コントローラである。この放送出力コントローラ２６は通常のＳＴＢ４”に搭載されたハードウェア及びソフトウェアの構成を称するものである。一般的なデジタル放送データはＭＰＥＧバージョンで圧縮され、ＳＴＢ４”内部に構成されたデコーダー（不図示）を通じて圧縮が解除される。しかし、このような構成要素はＩＰＴＶの一般的な構成要素であり、放送出力コントローラ２６はこのようなハードウェア及びＯＳを通じて通常の放送出力機能を行う放送出力コントローラ２６であるので、それについての具体的な説明は省略する。
【０１２９】
外部データの出力コントローラ３０は外部データ伝送サーバー１０から伝送された動画、画像、及び文字データからなった外部データをＩＰＴＶ２に画面出力させるためにデータ出力制御を行う。
【０１３０】
放送データ録画コントローラ３２はＰＶＲ６を録画モードに転換させ、出力進行中の放送データを外部データが出力される時間に録画するようにＰＶＲ６を制御する。
【０１３１】
外部データ格納部３３はＳＭＳサーバー（不図示）、移動通信社サーバー１４、メールサーバー（不図示）から受信した電子メールデータ、短文データ、画像及び動画データを含んだ外部データを格納する。
【０１３２】
画面スイッチ３４は放送データ録画コントローラ３２に連動してＩＰＴＶ２を通じて出力される放送データを外部データに画面スイッチングするための制御を行う。
【０１３３】
また、画面スイッチ３４はＩＰＴＶ２の画面出力を制御するものであり、ＩＰＴＶ２の画面に外部データを出力するか、または放送データを出力するかを決定して画面の出力を制御し、その制御信号を放送出力コントローラ２８及び放送データ録画コントローラ３２に伝送して画面スイッチングが行われるようにする。
【０１３４】
画面サイズコントローラ３５は放送出力コントローラ２８を通じて画面出力される放送データのサイズを外部データの種類及び容量によって調節する。
【０１３５】
データ格納部３６は外部データ伝送サーバー１０から伝送された外部データ、視聴者が既登録した認証暗号情報、ＳＴＢ固有番号、画面スイッチングに対する制御ルーチン及び視聴者が予め設定した外部データの出力時点情報、及び外部データの種類及び容量によって放送データのサイズ調節情報が格納される。
【０１３６】
データ格納部３６に格納された画面スイッチング制御ルーチンは、外部データが出力される時点に、自動で放送データがＰＶＲ６を通じて録画されるように制御信号を発生し、外部データの出力時点情報によって画面をスイッチングするために、予めプログラムした制御ルーチンを言う。
【０１３７】
コントローラ３８”はリモコン情報受信部２６を通じて受信したインターフェース要請信号、着信側の携帯電話番号情報及び発信側の認証省略用電話番号情報、及び認証情報入力信号を受信して認証情報を格納処理し、インターフェース要請信号、着信側の携帯電話番号情報や発信側の認証省略用電話番号情報、及びＳＴＢ固有番号をサーバーに伝送処理し、外部データの受信確認時認証処理を行って外部データを外部データ格納部３３に受信して格納し、既設定された出力時点情報によって放送データを録画モードにスイッチングし、外部データ格納部３３に格納された外部データをＩＰＴＶ２に画面出力するように制御し、外部データの種類及び容量によって放送データのサイズを調節し、そのサイズ調節によって生成された放送データの余白に外部データを出力するように制御する。
【０１３８】
好ましくは、本発明のシステムのＳＴＢ４”は外部データが文字データの場合、画面サイズコントローラ３５を通じて当該外部データの容量によって、予め出力された放送データのサイズを調節する。万一外部データが画像や動画データの場合は放送データを録画モードに変更し、プール画面に外部データの出力を支援するようにすることが良い。
【０１３９】
以下、前述した構成の本発明の第３実施形態によるＩＰＴＶを利用した外部データインターフェースシステムの機能と作用について添付図面を参照して詳細に説明する。
【０１４０】
図１２は本発明の第３実施形態によるＩＰＴＶを利用した外部データインターフェースシステムの信号流れを示すフローチャートである。
【０１４１】
まず、本発明のシステムで外部データ伝送サーバー１０から伝送された外部データをＳＴＢ４"が受信すると、ＳＴＢ４”は当該外部データが短文メッセージ（ＳＭＳ）であるかを判断する（ＳＴ−５１及びＳＴ−４２）。
【０１４２】
万一、ＳＴＢ４"で判断した外部データの種類が短文メッセージの場合、ＳＴＢ４”は当該短文メッセージの容量に適合するように放送画面データを縮小する（ＳＴ−５３）。
【０１４３】
このような容量別放送画面縮小情報はＳＴＢ４"に予め格納されており、短文メッセージは文字数によって放送画面データが比例して縮小されるようにすることが好ましい。例えば、文字数が多ければ放送画面データもより多く縮小され、文字数が少なければ放送画面データは少し縮小されるようにする。外部データが放送画面データの余白に出力されることによって、外部データは放送画面データの出力を妨害せずに出力させる（ＳＴ−５４）。
【０１４４】
したがって、ＳＴＢ４”は当該外部データの出力が完了したのかを判断し（ＳＴ−５５）、外部データの出力が完了した状態では、画面サイズコントローラ３５に制御信号を発生して放送データの画面を元のサイズに復元させる（ＳＴ−５６）。
【０１４５】
一方、受信した外部データが文字メッセージではなく、動画や画像データであると判断すると（ＳＴ−５２）、ＳＴＢ４”は予め出力された放送データをＰＶＲ６録画モードに転換して録画させ、全体画面に外部データを出力させる（ＳＴ−５７）。
【０１４６】
この場合は、ＳＴＢ４"の画面スイッチ３４が駆動されて画面を転換させる。その状態で、ＳＴＢ４”は当該外部データの出力が完了したのかを判断し（ＳＴ−５８）、外部データの出力が完了した状態では、画面サイズコントローラ３５に制御信号を発生して放送データの画面を元のサイズに復元させる。
【０１４７】
以下、添付図面を参照して本発明の第４実施形態について詳細に説明する。
【０１４８】
図１３は本発明の第４実施形態によるＩＰＴＶを利用した外部データインターフェースシステムの信号流れを示すフローチャートである。
【０１４９】
本発明のシステムは外部データを予約出力できるようにＳＴＢ４を制御するシステムであり、携帯電話とＩＰＴＶの固有番号を外部データ伝送サーバー１０に連動して登録し、ユーザーの設定による特定記念日情報を当該時点にＩＰＴＶに伝送して出力するように制御するシステムである。
【０１５０】
まず、本発明のシステムはＳＴＢ４が記念日情報と外部データを受信して格納する（ＳＴ−６０）。
【０１５１】
この時、ＳＴＢ４が記念日情報と外部データを受信して格納する過程は、ＳＴＢ４の別途ポートを通じて外部端末（不図示）を通じてデータをダウンロードして入力することができ、外部データ伝送サーバー１０を介してインターネット網を通じてデータをダウンロードすることもでき、メールサーバーまたは移動通信社サーバー１４、ＳＭＳサーバー（不図示）、発信者ＰＣ１６からインターネット網を通じて直接ダウンロードすることもできる。
【０１５２】
インターネット網を通じてダウンロードする場合、正確なダウンロードのためにＳＴＢ４の固有番号（例えば、ＩＰ）を入力しなければならない（ＳＴ−６２）。
【０１５３】
ＳＴＢ４の内部に入力が完了した状態では、ＳＴＢ４は時間を計数して内部に予め格納された記念日情報との比較を通じて記念日が到来したか否かを判断する（ＳＴ−６３及びＳＴ−６４）。
【０１５４】
万一、記念日が到来した場合、ＳＴＢ４は記念日情報と予め格納された外部データの祝賀メッセージ情報を抽出してＩＰＴＶ２を通じて出力させる。
【０１５５】
以下、添付図面を参照して本発明の第５実施形態について詳細に説明する。
【０１５６】
図１４は本発明の第５実施形態によるＩＰＴＶを利用した外部データインターフェースシステムを通じてＩＰＴＶに出力される画面領域を示す図面であり、図１５は本発明の第５実施形態によるＩＰＴＶを利用した外部データインターフェースシステムに含まれる外部データ伝送サーバーの構成を示すブロック図である。
【０１５７】
図１４を参照すると、本発明のシステムは放送データの内部シーン情報に商品コード情報を含ませ、当該商品コード情報とＩＰＴＶの地域情報を利用してマッチングするローカル広告データを伝送して出力させることによって、放送シーンとローカル広告の内容を一致させるシステムである。
【０１５８】
すなわち、本発明のシステムはユーザーの設定によって放送出力画面の下段に文字メッセージまたは文字／画像データまたは文字／動画データからなった帯広告データを画面出力できる。そのような帯広告データを画面出力する時、画面出力される放送データに関連された帯広告データを出力させるために、放送データの各シーンに含まれた商品コードを各シーン別に含ませてＳＴＢ４に伝送する。
【０１５９】
そして、ＳＴＢ４はユーザーの設定によって外部データ伝送サーバー１０’から持続的に帯広告データを受信して画面出力できる。好ましくは、この時の帯広告データはローカル広告であることが良い。したがって、本発明の第５実施形態によるＩＰＴＶを利用した外部データインターフェースシステムは画面出力される放送データに関連されるローカル帯広告データがその放送データの下段に出力されるようにする。
【０１６０】
このために、図１４におて、ＩＰＴＶ２のスクリーン１５２に出力される画面には放送データを出力する放送データ出力領域１５０が設けられており、その放送データ出力領域１５０の下段には帯広告データ出力領域１５４が設けられている。
【０１６１】
放送データの内部には各シーン別に商品コード情報が含まれていなければならないので、放送データを提供する放送データ伝送サーバー８は各シーン別にそのシーンに含まれた商品のコードを入力する作業を行い、その商品コード及びコード別商品情報を外部データ伝送サーバー１０’に提供する。
【０１６２】
図１５を参照すると、図１５は本発明の第５実施形態によるＩＰＴＶを利用した外部データインターフェースシステムに含まれた外部データ伝送サーバー１０’の構成を示す図面である。外部データ伝送サーバー１０’は、その内部に通信モジュール、認証処理部、ローカル広告抽出部、ＳＴＢ情報管理部、商品コード生成／管理部、ＳＴＢ情報ＤＢ、認証情報ＤＢ、商品コードＤＢ、ローカル広告ＤＢ、及びコントローラから構成されている。
【０１６３】
通信モジュール４０は各家庭に備えられたＳＴＢ４と広告主端末（不図示）、放送データ伝送サーバー８とのデータ送受信を行う。
【０１６４】
認証処理部４２はＳＴＢ４から伝送された固有番号及びローカル広告受信要請情報を受信して登録し、広告主端末から伝送されたローカル広告データを受信しようとする当該ユーザーまたはＳＴＢ４を認証する。
【０１６５】
ローカル広告抽出部１０２はＳＴＢ４から伝送された商品コードによって予め分類したローカル広告を抽出するようにルーチンを行い、ＳＴＢ情報管理部４６はＳＴＢ４にそれぞれ割り当てられた固有番号を管理し、各地域別にＳＴＢ固有番号を分類する。
【０１６６】
商品コード生成／管理部１０４は放送データにインサートする商品情報別商品コードを生成する。
【０１６７】
ＳＴＢ情報ＤＢ１０６ａはＳＴＢ４にそれぞれ割り当てられた固有番号を格納し、認証情報ＤＢ１０６ｂはローカル帯広告を受信するために予め設定したユーザーまたはＳＴＢ４に関連した認証情報を格納し、商品コードＤＢ１０６ｃは放送データにインサートする商品情報別商品コードを格納し、ローカル広告ＤＢ１０６ｄはローカル広告データを格納する。
【０１６８】
コントローラ１０８は各ＳＴＢ４のユーザーである着信者からローカル広告受信要請信号を認証情報と共に予め受け付けて登録し、広告主端末（不図示）からローカル広告データを受信して格納し、各商品コードを生成して放送データのシーン別商品広告とマッチングする商品コードを放送データにインサートさせ、各ＳＴＢ４から伝送された商品コード及びＳＴＢ固有番号によってマッチングするローカル帯広告データを抽出して当該ＳＴＢ４に伝送処理する。
【０１６９】
前述した構成の本発明の第５実施形態によるＩＰＴＶを利用した外部データインターフェースシステムの機能と作用について添付図面を参照して詳細に説明する。
【０１７０】
図１６は本発明の第５実施形態によるＩＰＴＶを利用した外部データインターフェースシステムの全体の信号流れを示すフローチャートである。
【０１７１】
まず、本発明のシステムは外部データ伝送サーバー１０’が多数の広告主端末（不図示）から広告データ及び当該広告業者の広告対象地域情報を受信して地域別ローカル広告データを分類し、地域コードを与える（Ｓ−７０、Ｓ−７２）。
【０１７２】
次に、外部データ伝送サーバー１０’は当該広告主端末から伝送された広告対象商品別分類コード情報を与えて格納する。
【０１７３】
その状態で、外部データ伝送サーバー１０’は放送データ伝送サーバー８に各商品分類別に生成したコード情報を伝送する（Ｓ−７４）。例えば、家具の場合はＦ−００１、自動車の場合はＣ−００１のように、コード情報を放送データ伝送サーバー８に伝送する。
【０１７４】
そうすると、放送データ伝送サーバー８は当該商品分類コードを放送データのパケット内にインサートさせる（Ｓ−７６）。そして、当該放送データをＳＴＢ４に伝送してＩＰＴＶ２を通じて画面出力させる（Ｓ−８０）。
【０１７５】
この時、ＳＴＢ４は当該商品分類コードを放送データから抽出して、外部データ伝送サーバー１０’に対して自動セッションを設定し、ＩＰＴＶの固有番号またはＳＴＢの固有番号及び、商品分類コードを伝送する（Ｓ−８２及びＳ−８４）。
【０１７６】
そうすると、外部データ伝送サーバー１０’は当該商品分類コード及び装置固有番号による地域コードを利用して、当該地域における当該商品群のローカル広告データを任意に抽出する（Ｓ−８８）。
【０１７７】
次に、外部データ伝送サーバー１０’は当該ローカル広告データをＳＴＢ４に伝送してＩＰＴＶ２を通じて画面出力させる（Ｓ−９０）。
【０１７８】
これを通じて、ＩＰＴＶ２は放送データを通じて画面出力される放送シーンに自動車が登場した場合、外部データ伝送サーバー１０’からローカル広告の地域自動車販売店や売り場情報を帯広告に出力させる（Ｓ−９２）。この時、放送データに出力される自動車とローカル広告データに出力される自動車はその種類が一致しなくても構わない。
【産業上の利用可能性】
【０１７９】
したがって、本発明のシステムは放送データのシーンに特定商品が出力される場合、その商品と同一な分類に属するローカル広告データを帯広告形態で当該放送データの下段に出力できるようになるので、低費用で放送データを通じて広告することと類似の広告効果を期待することができる。また、当該ＩＰＴＶが属する地域の業者広告が出力されるようになるので、その効果がより一層大きい。
【０１８０】
以上のように、放送画面に特定商品が出力さると、本発明のシステムは広告効果を高めるために当該商品群のローカル広告が帯広告形態で自動出力させることができる。
【０１８１】
好ましくは、ローカル帯広告データの内部にはＩＰＴＶ２のリモコンなどのキー操作を通じて自動で商品注文を発生できるように自動注文情報が含まれており、ＩＰＴＶ２を通した自動注文の要請時、その注文データは外部データ伝送サーバー１０’を通じて当該広告主に伝送できる。
【０１８２】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【図１】
2011507126.tif 000003
【図２】
2011507126.tif 000004
【図３】
2011507126.tif 000005
【図４】
2011507126.tif 000006
【図５】
2011507126.tif 000007
【図６】
2011507126.tif 000008
【図７】
2011507126.tif 000009
【図８】
2011507126.tif 000010
【図９】
2011507126.tif 000011
【図１０】
2011507126.tif 000012
【図１１】
2011507126.tif 000013
【図１２】
2011507126.tif 000014
【図１３】
2011507126.tif 000015
【図１４】
2011507126.tif 000016
【手続補正書】
【提出日】平成22年7月2日(2010.7.2)
【手続補正１】
【補正対象書類名】図面
【補正対象項目名】全図
【補正方法】変更
【補正の内容】
【図１】
2011507126.tif 000017
【図２】
2011507126.tif 000018
【図３】
2011507126.tif 000019
【図４】
2011507126.tif 000020
【図５】
2011507126.tif 000021
【図６】
2011507126.tif 000022
【図７Ａ】
2011507126.tif 000023
【図７Ｂ】
2011507126.tif 000024
【図８】
2011507126.tif 000025
【図９】
2011507126.tif 000026
【図１０】
2011507126.tif 000027
【図１１】
2011507126.tif 000028
【図１２】
2011507126.tif 000029
【図１３】
2011507126.tif 000030
【図１４】
2011507126.tif 000031
【図１５】
2011507126.tif 000032
【図１６】
2011507126.tif 000033
【国際調査報告】
2011507126.tif 000034
2011507126.tif 000035